(57)【要約】【課題】表示部における複数の表示領域それぞれに表示される画像の表示品質を高精度に管理することができる画像表示装置を提供する。【解決手段】表示駆動部１３Ｌ，１３Ｒは、左領域２０Ｌに画像データＤ１に基づく第１の画像を表示させ、右領域２０Ｒに画像データＤ２に基づく第２の画像を表示させるよう表示部２０を駆動する。輝度センサ１４Ｌは左領域２０Ｌ上の画像の明るさを検出し、輝度センサ１４Ｒは右領域２０Ｒ上の画像の明るさを検出する。左領域用バックライト２１Ｌ及びバックライト制御部153Lは、輝度センサ１４Ｌが検出する画像の明るさが第１のセンサ輝度値となるように、第１の画像の輝度を調整する。右領域用バックライト２１Ｒ及びバックライト制御部153Rは、輝度センサ１４Ｒが検出する画像の明るさが第２のセンサ輝度値となるように、第２の画像の輝度を調整する。【選択図】図１
2015225321.tif 000002
【特許請求の範囲】
【請求項１】
表示部と、
前記表示部における第１の表示領域に第１の画像データに基づく第１の画像を表示させ、前記表示部における第２の表示領域に第２の画像データに基づく第２の画像を表示させるよう前記表示部を駆動する表示駆動部と、
前記表示駆動部が前記第１の表示領域に前記第１の画像を表示させているとき、前記第１の表示領域上の画像の明るさを検出する第１の輝度センサと、
前記表示駆動部が前記第２の表示領域に前記第２の画像を表示させているとき、前記第２の表示領域上の画像の明るさを検出する第２の輝度センサと、
前記第１の輝度センサが検出する前記第１の表示領域上の画像の明るさが第１のセンサ輝度値となるように、前記第１の表示領域に表示される前記第１の画像の輝度を調整する第１の輝度調整部と、
前記第２の輝度センサが検出する前記第２の表示領域上の画像の明るさが第２のセンサ輝度値となるように、前記第２の表示領域に表示される前記第２の画像の輝度を調整する第２の輝度調整部と、
を備えることを特徴とする画像表示装置。
【請求項２】
前記第１の表示領域に表示される前記第１の画像が第１の色温度及び第１のガンマ特性を有し、前記第２の表示領域に表示される前記第２の画像が第２の色温度及び第２のガンマ特性を有するように、前記第１及び第２の画像それぞれの画質を制御する制御部をさらに備えることを特徴とする請求項１記載の画像表示装置。
【請求項３】
前記第１及び第２の画像データはＲ，Ｇ，Ｂの映像信号よりなり、
前記制御部による制御に基づいて、前記第１の画像データにおけるＲ，Ｇ，Ｂの映像信号それぞれの入出力特性を決定するための第１の組のルックアップテーブルを用いて、前記第１の画像が前記第１の色温度及び前記第１のガンマ特性を有するように前記第１の画像データを処理する第１の映像信号処理部と、
前記制御部による制御に基づいて、前記第２の画像データにおけるＲ，Ｇ，Ｂの映像信号それぞれの入出力特性を決定するための第２の組のルックアップテーブルを用いて、前記第２の画像が前記第２の色温度及び前記第２のガンマ特性を有するように前記第２の画像データを処理する第２の映像信号処理部と、
をさらに備えることを特徴とする請求項２記載の画像表示装置。
【請求項４】
前記第１及び第２の画像データは第１のビット数を有し、
前記第１の映像信号処理部は、前記第１の組のルックアップテーブルを用いて、前記第１の画像データのビット数を前記第１のビット数よりも多い第２のビット数に変換する第１のビット変換部を有し、
前記第２の映像信号処理部は、前記第２の組のルックアップテーブルを用いて、前記第２の画像データのビット数を前記第２のビット数に変換する第２のビット変換部を有する
ことを特徴とする請求項３記載の画像表示装置。
【請求項５】
前記表示部は液晶パネルであり、
前記第１の表示領域に対応して設けられた第１のバックライトと、
前記第２の表示領域に対応して設けられた第２のバックライトと、
前記第１のバックライトの光量を制御する第１のバックライト制御部と、
前記第２のバックライトの光量を制御する第２のバックライト制御部と、
をさらに備え、
前記第１の輝度調整部は、前記第１のバックライト及び前記第１のバックライト制御部により構成され、
前記第２の輝度調整部は、前記第２のバックライト及び前記第２のバックライト制御部により構成される
ことを特徴とする請求項１〜４のいずれか１項に記載の画像表示装置。
【請求項６】
前記第１及び第２の輝度センサは、前記第１及び第２の表示領域それぞれの端部に配置されていることを特徴とする請求項１〜５のいずれか１項に記載の画像表示装置。
【発明の詳細な説明】
【技術分野】
【０００１】
本発明は、表示部における表示領域を複数に分割して、分割したそれぞれの表示領域に画像を表示することができる画像表示装置に関する。
【背景技術】
【０００２】
近年、医用画像表示用の画像表示装置（以下、医用画像表示装置）の画面はワイド化されている。これに伴って、１つの画面（表示領域）を複数に分割して、複数の画像を並列的に表示することが可能となっている。
【０００３】
ところで、医用画像表示装置は、表示される画像の表示品質を厳密に管理することが必要である。日本では、JESRA X-0093（QAガイドライン）に従って、医用画像表示装置の表示品質が管理されていることが定められている。
【０００４】
そこで、特許文献１に記載されているように、医用画像表示装置は画面上の画像の明るさを検出する輝度センサを備え、輝度センサによって検出した明るさに基づいて、表示される画像の輝度を制御するのが一般的である。
【先行技術文献】
【特許文献】
【０００５】
【特許文献１】特開２００７−１９３３５５号公報
【発明の概要】
【発明が解決しようとする課題】
【０００６】
画像表示装置に複数の画像を並列的に表示した場合、特許文献１に記載されているような従来の表示品質の管理方法では、複数の画像それぞれの表示品質を高精度に管理することができない。そこで、画像表示装置に複数の画像を並列的に表示する場合でも、複数の画像それぞれの表示品質を高精度に管理することが可能な画像表示装置が求められる。
【０００７】
本発明はこのような要望に対応するため、表示部における複数の表示領域それぞれに表示される画像の表示品質を高精度に管理することができる画像表示装置を提供することを目的とする。
【課題を解決するための手段】
【０００８】
本発明は、上述した従来の技術の課題を解決するため、表示部と、前記表示部における第１の表示領域に第１の画像データに基づく第１の画像を表示させ、前記表示部における第２の表示領域に第２の画像データに基づく第２の画像を表示させるよう前記表示部を駆動する表示駆動部と、前記表示駆動部が前記第１の表示領域に前記第１の画像を表示させているとき、前記第１の表示領域上の画像の明るさを検出する第１の輝度センサと、前記表示駆動部が前記第２の表示領域に前記第２の画像を表示させているとき、前記第２の表示領域上の画像の明るさを検出する第２の輝度センサと、前記第１の輝度センサが検出する前記第１の表示領域上の画像の明るさが第１のセンサ輝度値となるように、前記第１の表示領域に表示される前記第１の画像の輝度を調整する第１の輝度調整部と、前記第２の輝度センサが検出する前記第２の表示領域上の画像の明るさが第２のセンサ輝度値となるように、前記第２の表示領域に表示される前記第２の画像の輝度を調整する第２の輝度調整部とを備えることを特徴とする画像表示装置を提供する。
【発明の効果】
【０００９】
本発明の画像表示装置によれば、表示部における複数の表示領域それぞれに表示される画像の表示品質を高精度に管理することができる。
【図面の簡単な説明】
【００１０】
【図１】一実施形態の画像表示装置を示すブロック図である。
【図２】一実施形態の画像表示装置に２つの画像データを供給する画像データ発生装置の他の例を示す部分ブロック図である。
【図３】一実施形態の画像表示装置に１つの画像データを供給する画像データ発生装置の例を示す部分ブロック図である。
【図４】表示部２０の具体的な形状及び輝度センサの取り付け位置の例を説明するための平面図である。
【図５】輝度センサのキャリブレーションを説明するためのブロック図である。
【図６】ルックアップテーブルの入出力特性を示す特性図である。
【図７】不揮発性メモリに記憶されている画質調整データを概念的に示す図である。
【発明を実施するための形態】
【００１１】
以下、一実施形態の画像表示装置について、添付図面を参照して説明する。本実施形態の画像表示装置は医用画像表示装置を例とするが、医用画像表示装置に限定されるものではない。
【００１２】
図１において、画像表示装置１００には、例えば２つの画像データ発生装置２０１，２０２が接続されている。画像データ発生装置２０１，２０２は、レントゲン画像や体内の撮影画像等の医療現場において診断に用いられる各種の画像を示す画像データを出力する。画像データ発生装置２０１，２０２は、パーソナル・コンピュータで構成することができる。
【００１３】
画像データ発生装置２０１は画像データＤ１を出力し、画像データ発生装置２０２は画像データＤ２を出力する。画像データＤ１，Ｄ２は、画像データ入力部１１に入力される。画像データＤ１，Ｄ２は、それぞれ、Ｒ（赤），Ｇ（緑），Ｂ（青）の３原色映像信号よりなる。画像データＤ１，Ｄ２は、例えば８ビットのデジタルデータである。
【００１４】
画像データ入力部１１は、画像データＤ１を映像信号処理部１２Ｌに供給し、画像データＤ２を映像信号処理部１２Ｒに供給する。画像データ入力部１１は、画像データＤ１を映像信号処理部１２Ｒに供給し、画像データＤ２を映像信号処理部１２Ｌに供給してもよい。
【００１５】
画像データ入力部１１は、画像データＤ１を映像信号処理部１２Ｌに供給し、画像データＤ２を映像信号処理部１２Ｒに供給する状態と、画像データＤ１を映像信号処理部１２Ｒに供給し、画像データＤ２を映像信号処理部１２Ｌに供給する状態とを切り替える機能を有していてもよい。
【００１６】
図１では、画像データＤ１，Ｄ２の発生源が別々の画像データ発生装置２０１，２０２であるが、図２に示すように、１つの画像データ発生装置２００が画像データＤ１，Ｄ２の双方を発生してもよい。画像データ発生装置２００は、パーソナル・コンピュータで構成することができる。
【００１７】
画像データＤ１は表示部２０における画面の左領域２０Ｌに表示される画像データであり、画像データＤ２は表示部２０における画面の右領域２０Ｒに表示される画像データであるとする。
【００１８】
図３に示すように、画像データ発生装置２００が表示部２０における表示領域（画面）の全体に表示される画像データＤ０を出力する場合があってもよい。この場合、画像データ入力部１１は、画像データＤ０のうち、左領域２０Ｌに対応した部分の画像データＤ０Ｌを映像信号処理部１２Ｌに供給し、右領域２０Ｒに対応した部分の画像データＤ０Ｒを映像信号処理部１２Ｒに供給する。
【００１９】
図１において、画像データ発生装置２０１が画像データＤ０を画像データ入力部１１に供給する場合があってもよいし、画像データ発生装置２０２が画像データＤ０を画像データ入力部１１に供給する場合があってもよい。
【００２０】
映像信号処理部１２Ｌ，１２Ｒは、それぞれ、ビット変換部121L，121Rを備える。映像信号処理部１２Ｌ，１２Ｒは、画像データＤ１，Ｄ２を高精度に信号処理するため、ビット変換部121L，121Rによって、８ビットを例えば１６ビットに変換する。ビット数を増大させて信号処理することは好ましいが、ビット数を増大させずに信号処理してもよい。
【００２１】
ビット変換部121L，121Rは、後述するルックアップテーブル（ＬＵＴ）を用いて、８ビットの画像データＤ１，Ｄ２を１６ビットの画像データＤ１，Ｄ２へと変換する。
【００２２】
映像信号処理部１２Ｌ，１２Ｒは、ビット変換部121L，121RによってＲ，Ｇ，Ｂの画像データＤ１，Ｄ２を１６ビットの画像データＤ１，Ｄ２へと変換する際に、画像データＤ１，Ｄ２の色温度及びガンマ特性を設定することができる。映像信号処理部１２Ｌ，１２Ｒは、表示部２０に表示する画像の色温度及びガンマ特性を設定する画質設定部として機能する。
【００２３】
映像信号処理部１２Ｌ，１２Ｒは、輝度むらや色むらを補正するために、画像データＤ１，Ｄ２に対してユニフォーミティ補正と称される信号処理を施してもよい。
【００２４】
表示部２０は、一例として、１０ビットの画像データを表示可能な液晶パネルであるとする。映像信号処理部１２Ｌ，１２Ｒは、それぞれ、１６ビットの画像データＤ１，Ｄ２を１０ビットの画像データに変換する。
【００２５】
映像信号処理部１２Ｌ，１２Ｒより出力される１０ビットの画像データを画像データＤ１０，Ｄ２０とする。画像データＤ１０，Ｄ２０は、それぞれ、表示駆動部１３Ｌ，１３Ｒに供給される。
【００２６】
映像信号処理部１２Ｌ，１２Ｒは、例えば、１６ビットの画像データＤ１，Ｄ２のうちの上位１０ビットに、下位６ビットを拡散する誤差拡散処理を施すのがよい。このようにすれば、表示駆動部１３Ｌ，１３Ｒに供給される画像データＤ１０，Ｄ２０は１０ビットであるものの、１６ビットに相当する解像度を有する画像データとなる。
【００２７】
画像データＤ１，Ｄ２のビット数を削減するものの、画像データＤ１０，Ｄ２０の実質的な解像度を画像データＤ１０，Ｄ２０が有するビット数以上とする信号処理の方法は、誤差拡散処理に限定されない。ビット変換部121L，121Rが８ビットの画像データＤ１，Ｄ２を１０ビットに変換する場合には、誤差拡散処理等の処理は不要となる。
【００２８】
表示駆動部１３Ｌは、画像データＤ１０を表示部２０の左領域２０Ｌに表示させるよう表示部２０を駆動する。表示駆動部１３Ｒは、画像データＤ２０を表示部２０の右領域２０Ｒに表示させるよう表示部２０を駆動する。表示駆動部１３Ｌ，１３Ｒを１つの表示駆動部で構成してもよい。
【００２９】
表示部２０における左領域２０Ｌと右領域２０Ｒは、表示部２０の表示領域における１／２ずつの均等な領域であってもよいし、不均等な領域であってもよい。図１では、左領域２０Ｌと右領域２０Ｒとが均等である例を示している。
【００３０】
なお、左領域２０Ｌと右領域２０Ｒとは、二点差線で示すように、表示領域を仮想的に２つに分割して設定したものである。即ち、表示領域における水平方向の全画素数の左半分を左領域２０Ｌに割り当て、右半分を右領域２０Ｒに割り当てたものである。左領域２０Ｌと右領域２０Ｒとが物理的に分割されている必要はない。
【００３１】
左領域２０Ｌに対して左領域用バックライト２１Ｌが設けられ、右領域２０Ｒに対して右領域用バックライト２１Ｒが設けられている。後述するように、左領域用バックライト２１Ｌと右領域用バックライト２１Ｒとは物理的に分割されている。
【００３２】
左領域用バックライト２１Ｌ及び右領域用バックライト２１Ｒは表示部２０の背面側に配置される背面型のバックライトであってもよいし、表示部２０の側面端部に配置されるエッジライト方式のバックライトであってもよい。
【００３３】
図１では、便宜上、左領域用バックライト２１Ｌ及び右領域用バックライト２１Ｒを左領域２０Ｌ及び右領域２０Ｒの下方に図示している。左領域用バックライト２１Ｌ及び右領域用バックライト２１Ｒの具体的な位置については後述する。
【００３４】
表示部２０には、左領域２０Ｌと右領域２０Ｒとに表示される画像データＤ１０，Ｄ２０に基づく画像が、左領域２０Ｌと右領域２０Ｒそれぞれの画面上で実際にどの程度の明るさで表示されているかを検出するための輝度センサ１４Ｌ，１４Ｒが取り付けられている。図１では、便宜上、表示部２０と輝度センサ１４Ｌ，１４Ｒとを離して図示している。
【００３５】
輝度センサ１４Ｌ，１４Ｒが検出した明るさの検出値は、制御部１５に入力される。制御部１５には、不揮発性メモリ１６と、操作部１７と、外部入力端子１８が接続されている。不揮発性メモリ１６は記憶部の一例であり、例えばEEPROM（Electrically Erasable and Programmable Read-Only Memory）によって構成することができる。
【００３６】
操作部１７は、画像表示装置１００の筐体（後述するベゼル20bz）に設けられていてもよいし、リモート・コントローラであってもよい。外部入力端子１８は、例えばＵＳＢ（Universal Serial Bus）入力端子である。外部入力端子１８は、ＵＳＢ規格に準じた入力端子でなくてもよい。
【００３７】
制御部１５は、機能的な内部構成として、画質選択制御部１５１と、ＬＵＴ設定制御部１５２と、バックライト制御部153L，153Rとを有する。画質選択制御部１５１及びＬＵＴ設定制御部１５２の動作については後に詳述する。
【００３８】
バックライト制御部153Lは左領域用バックライト２１Ｌの光量を制御することにより、左領域２０Ｌにおける輝度を制御する。バックライト制御部153Rは右領域用バックライト２１Ｒの光量を制御することにより、右領域２０Ｒにおける輝度を制御する。
【００３９】
左領域用バックライト２１Ｌ及びバックライト制御部153Lは、左領域２０Ｌに表示する画像の輝度を調整する輝度調整部として機能する。右領域用バックライト２１Ｒ及びバックライト制御部153Rは、右領域２０Ｒに表示する画像の輝度を調整する輝度調整部として機能する。
【００４０】
本実施形態においては、表示部２０が液晶パネルで構成されているため、左領域用バックライト２１Ｌ及びバックライト制御部153Lと、右領域用バックライト２１Ｒ及びバックライト制御部153Rが輝度調整部として機能する。
【００４１】
表示部２０が陰極線管や有機エレクトロルミネセンスパネル等の他の方式の表示装置であれば、それぞれの方式に適した輝度調整部を設ければよい。
【００４２】
図４を用いて、表示部２０における輝度センサ１４Ｌ，１４Ｒの取り付け位置の例を説明する。図４に示すように、表示部２０の外周部は、プラスチック樹脂により形成されたベゼル20bzで囲われている。ベゼル20bzは一体的に形成され、上枠20bzTと、下枠20bzBと、左枠20bzLと、右枠20bzRとのそれぞれの部分を有する。
【００４３】
本実施形態においては、左領域用バックライト２１Ｌ及び右領域用バックライト２１Ｒはエッジライト方式のバックライトである。
【００４４】
左領域用バックライト２１Ｌは、上枠20bzT内に配置された上側バックライト21L1と下枠20bzB内に配置された下側バックライト21L2とよりなる。右領域用バックライト２１Ｒは、上枠20bzT内に配置された上側バックライト21R1と下枠20bzB内に配置された下側バックライト21R2とよりなる。
【００４５】
図４に示すように、左領域用バックライト２１Ｌと右領域用バックライト２１Ｒとは物理的に分割されており、左領域用バックライト２１Ｌと右領域用バックライト２１Ｒとは独立に制御される。
【００４６】
左領域用バックライト２１Ｌを上側バックライト21L1と下側バックライト21L2とのうちのいずれか一方のみ、右領域用バックライト２１Ｒを上側バックライト21R1と下側バックライト21R2とのうちのいずれか一方のみで構成してもよい。
【００４７】
左領域用バックライト２１Ｌと右領域用バックライト２１Ｒとしては、発光ダイオード（ＬＥＤ）で構成するのが好適である。左領域用バックライト２１Ｌと右領域用バックライト２１Ｒを冷陰極管（ＣＣＦＬ）で構成してもよい。
【００４８】
下枠20bzBには、左領域２０Ｌと右領域２０Ｒとのそれぞれの水平方向の中央に、下枠20bzBの画面側の端部20bzBeより上方に略円弧状に突出した突出部20bzprが形成されている。輝度センサ１４Ｌ，１４Ｒは、左右の突出部20bzprに隠れるようにして、下枠20bzBの内側に配置されている。
【００４９】
輝度センサ１４Ｌ，１４Ｒは、画像データＤ１０，Ｄ２０に基づく画像が表示されている状態で、左領域２０Ｌと右領域２０Ｒそれぞれの下端部における画像の明るさを検出する。
【００５０】
輝度センサ１４Ｌ，１４Ｒは、画面の下端部に配置されているので、ユーザが表示されている画像を見る際の妨害になることはない。画面の下端部に、輝度センサ１４Ｌ，１４Ｒが画像の明るさを検出するためのセンサエリアを設けてもよい。
【００５１】
ここで、図５を用いて、輝度センサ１４Ｌ，１４Ｒを設けている意味合いについて説明する。表示部２０に表示される画像の表示品質として輝度を厳密に管理するためには、画面上で画像が実際にどの程度の明るさで表示されているかを検出すればよい。このとき、本来であれば、画面の中央部における画像の明るさを検出するのが望ましい。
【００５２】
表示部２０が左領域２０Ｌと右領域２０Ｒとに分割されている場合、左領域２０Ｌの中央部における画像の明るさと、右領域２０Ｒの中央部における画像の明るさとをそれぞれ検出するのが望ましい。
【００５３】
しかしながら、画像表示装置１００の通常の使用状態において、輝度センサ１４Ｌ，１４Ｒを左領域２０Ｌと右領域２０Ｒそれぞれの中央部に配置すれば、ユーザが表示されている画像を見る際の妨害となってしまう。よって、輝度センサ１４Ｌ，１４Ｒを中央部に配置して、画像の明るさを検出することはできない。
【００５４】
そこで、左領域２０Ｌと右領域２０Ｒそれぞれの中央部での画像の明るさと、輝度センサ１４Ｌ，１４Ｒが検出する下端部における画像の明るさとの相関を予め求めておき、輝度センサ１４Ｌ，１４Ｒによって下端部における画像の明るさを検出すればよい。
【００５５】
画像表示装置１００は、輝度センサ１４Ｌ，１４Ｒが検出した明るさに基づき、予め求めた相関に従って中央部での画像の明るさを推定するように構成されている。
【００５６】
図５において、図１〜図３で説明した画像データ発生装置２０１もしくは２０２（または２００）によってキャリブレーション・ソフトウェアを実行させて、表示部２０にキャリブレーション用画像を表示させる。
【００５７】
図５に示すように、外部入力端子１８に接続された外部センサ３０が左領域２０Ｌの中央部に配置されている。制御部１５（バックライト制御部153L）によって、キャリブレーション用画像の輝度が所定の輝度となるように制御されている。
【００５８】
例えば所定の輝度を４００ｃｄ／ｍ２とする。制御部１５には、外部センサ３０を介して外部センサ３０の検出値と、輝度センサ１４Ｌの検出値とが入力される。制御部１５は、外部センサ３０が画像の明るさを４００ｃｄ／ｍ２と検出しているときの輝度センサ１４Ｌの検出値をセンサ輝度値として取り込む。輝度センサ１４Ｌが検出したセンサ輝度値は第１のセンサ輝度値である。
【００５９】
例えば、外部センサ３０が画像の明るさを４００ｃｄ／ｍ２と検出しているときの輝度センサ１４Ｌのセンサ輝度値が３９０ｃｄ／ｍ２であるとする。制御部１５が輝度センサ１４Ｌのセンサ輝度値が３９０ｃｄ／ｍ２となるように左領域用バックライト２１Ｌを制御すれば、左領域２０Ｌの中央部では４００ｃｄ／ｍ２の明るさが得られることになる。
【００６０】
左領域２０Ｌの中央部で表示させるべき画像の明るさを表示輝度値とする。制御部１５は、取り込んだセンサ輝度値を表示輝度値に対応させて不揮発性メモリ１６に記憶させる。
【００６１】
右領域２０Ｒでも同様にして、外部センサ３０を右領域２０Ｒの中央部に配置して、制御部１５は、外部センサ３０が画像の明るさを４００ｃｄ／ｍ２と検出しているときの輝度センサ１４Ｒの検出値をセンサ輝度値として取り込む。輝度センサ１４Ｒが検出したセンサ輝度値は第２のセンサ輝度値である。
【００６２】
制御部１５は、取り込んだ第１及び第２のセンサ輝度値を表示輝度値に対応させて不揮発性メモリ１６に記憶させる。
【００６３】
右領域２０Ｒにおいて外部センサ３０が画像の明るさを４００ｃｄ／ｍ２と検出しているとき、輝度センサ１４Ｒのセンサ輝度値は必ずしも左領域２０Ｌでのセンサ輝度値である３９０ｃｄ／ｍ２と同じになるとは限らない。一例として、輝度センサ１４Ｒのセンサ輝度値が、輝度センサ１４Ｌのセンサ輝度値である３９０ｃｄ／ｍ２とは異なる３８５ｃｄ／ｍ２となることがある。
【００６４】
このように、左領域２０Ｌ及び右領域２０Ｒのそれぞれで、所定の表示輝度値の画像を表示させるには、輝度センサ１４Ｌ，１４Ｒのセンサ輝度値が表示輝度値に対応するセンサ輝度値となるように、左領域用バックライト２１Ｌ及び右領域用バックライト２１Ｒを制御すればよい。
【００６５】
左領域２０Ｌ及び右領域２０Ｒそれぞれ中央部における表示輝度値と輝度センサ１４Ｌ，１４Ｒのセンサ輝度値との関係は、経時変化によって変化することがある。そこで、表示輝度値とセンサ輝度値との相関をとるキャリブレーションを１年に１回等、定期的に行うのがよい。
【００６６】
表示部２０に表示させる画像の表示輝度値は、複数切り替えられるのがよい。そこで、本実施形態においては、操作部１７によって、例えば３つの表示輝度値より表示輝度値を選択可能であるとする。
【００６７】
表示部２０に表示させる画像の表示輝度値が異なれば、画質をそれぞれの表示輝度値に対応して設定するのがよい。そこで、本実施形態においては、制御部１５が、表示部２０に表示させる画像それぞれの表示輝度値に対応して、画像の画質を制御するように構成されている。制御部１５は、画像の色温度及びガンマ特性を調整することによって、画質を制御する。
【００６８】
図６は、ビット変換部121L，121Rで用いるルックアップテーブルを概念的に示している。ルックアップテーブルは、８ビットの画像データＤ１，Ｄ２の入力データをどのような１６ビットの出力データに変換するかを決定する入出力特性を示すものである。この入出力特性によって、画像データＤ１，Ｄ２に基づく画像を表示部２０に表示する際の色温度及びガンマ特性が調整される。
【００６９】
ビット変換部121L，121Rは、８ビットの画像データＤ１，Ｄ２を、図６に示すルックアップテーブルを用いて１６ビットの画像データＤ１，Ｄ２に変換する。
【００７０】
ルックアップテーブルが示すガンマ特性は、DICOM GSDFに対応したガンマ特性、または、ガンマ２．２と称されているガンマ特性とするのがよい。
【００７１】
不揮発性メモリ１６は、ビット変換部121L，121Rで用いるルックアップテーブルを記憶している。
【００７２】
画像データＤ１，Ｄ２はＲ，Ｇ，Ｂの映像信号よりなるため、Ｒ，Ｇ，Ｂそれぞれに対応したルックアップテーブルが必要となる。３つの表示輝度値それぞれに対応してＲ，Ｇ，Ｂ用の３つのルックアップテーブルが必要となる。左領域２０Ｌに表示する画像データＤ１と右領域２０Ｒに表示する画像データＤ２とのそれぞれに対応して、ルックアップテーブルが必要となる。
【００７３】
よって、表示輝度値と色温度及びガンマ特性との組よりなる画質特性を３つ選択可能とする本実施形態においては、不揮発性メモリ１６は、１８個のルックアップテーブルを記憶している。
【００７４】
図７は、不揮発性メモリ１６に記憶されている画質特性を選択するために必要となる画質調整データを概念的に示している。不揮発性メモリ１６は、左領域用画質調整データＤＬと、右領域用画質調整データＤＲとを記憶している。
【００７５】
本実施形態においては、表示輝度値として、４００ｃｄ／ｍ２，５００ｃｄ／ｍ２，８００ｃｄ／ｍ２が選択可能であるとする。これらの表示輝度値は単なる例である。
【００７６】
左領域２０Ｌにおいて、４００ｃｄ／ｍ２，５００ｃｄ／ｍ２，８００ｃｄ／ｍ２の表示輝度値とするためのセンサ輝度値をそれぞれセンサ輝度値１，２，３とする。
【００７７】
右領域２０Ｒにおいて、４００ｃｄ／ｍ２，５００ｃｄ／ｍ２，８００ｃｄ／ｍ２の表示輝度値とするためのセンサ輝度値をそれぞれセンサ輝度値１’，２’，３’とする。
【００７８】
前述のように、左領域２０Ｌと右領域２０Ｒとで同じ表示輝度値としようとしても、左領域２０Ｌにおけるセンサ輝度値と右領域２０Ｒにおけるセンサ輝度値とは異なることがある。よって、左領域２０Ｌ用のセンサ輝度値と右領域２０Ｒ用のセンサ輝度値とのそれぞれに対応してルックアップテーブルを設定するのがよい。
【００７９】
左領域用画質調整データＤＬは、表示輝度値４００ｃｄ／ｍ２に対応した画質調整データＤＬ１と、表示輝度値５００ｃｄ／ｍ２に対応した画質調整データＤＬ２と、表示輝度値８００ｃｄ／ｍ２に対応した画質調整データＤＬ３とを有する。
【００８０】
画質調整データＤＬ１は、センサ輝度値１と、センサ輝度値１に対応して色温度及びガンマ特性を決定するためのＲ，Ｇ，Ｂ用のルックアップテーブルLL1r，LL1g，LL1bとの組よりなる。画質調整データＤＬ２は、センサ輝度値２と、センサ輝度値２に対応して色温度及びガンマ特性を決定するためのＲ，Ｇ，Ｂ用のルックアップテーブルLL2r，LL2g，LL2bとの組よりなる。
【００８１】
画質調整データＤＬ３は、センサ輝度値３と、センサ輝度値３に対応して色温度及びガンマ特性を決定するためのＲ，Ｇ，Ｂ用のルックアップテーブルLL3r，LL3g，LL3bとの組よりなる。
【００８２】
右領域用画質調整データＤＲは、表示輝度値４００ｃｄ／ｍ２に対応した画質調整データＤＲ１と、表示輝度値５００ｃｄ／ｍ２に対応した画質調整データＤＲ２と、表示輝度値８００ｃｄ／ｍ２に対応した画質調整データＤＲ３とを有する。
【００８３】
画質調整データＤＲ１は、センサ輝度値１’と、センサ輝度値１’に対応して色温度及びガンマ特性を決定するためのＲ，Ｇ，Ｂ用のルックアップテーブルLR1r，LR1g，LR1bとの組よりなる。画質調整データＤＲ２は、センサ輝度値２’と、センサ輝度値２’に対応して色温度及びガンマ特性を決定するためのＲ，Ｇ，Ｂ用のルックアップテーブルLR2r，LR2g，LR2bとの組よりなる。
【００８４】
画質調整データＤＲ３は、センサ輝度値３’と、センサ輝度値３’に対応して色温度及びガンマ特性を決定するためのＲ，Ｇ，Ｂ用のルックアップテーブルLR3r，LR3g，LR3bとの組よりなる。
【００８５】
画質調整データＤＬ１，ＤＲ１と、画質調整データＤＬ２，ＤＲ２と、画質調整データＤＬ３，ＤＲ３におけるルックアップテーブルは全てDICOM GSDFに対応したガンマ特性を有していてもよいし、一部がガンマ２．２のガンマ特性を有してもよい。
【００８６】
ユーザは、操作部１７を操作することによって、表示部２０に表示される画像の表示輝度値を、４００ｃｄ／ｍ２，５００ｃｄ／ｍ２，８００ｃｄ／ｍ２より選択することができる。
【００８７】
表示輝度値が選択されると、画質選択制御部１５１は、不揮発性メモリ１６より、左領域用画質調整データＤＬと右領域用画質調整データＤＲとのそれぞれより、選択された表示輝度値に対応した画質調整データを読み出す。
【００８８】
ここでは、４００ｃｄ／ｍ２が選択された場合を例として説明する。画質選択制御部１５１は、不揮発性メモリ１６より、画質調整データＤＬ１，ＤＲ１を読み出す。制御部１５は、センサ輝度値１，１’を保持する。
【００８９】
ルックアップテーブル設定制御部（ＬＵＴ設定制御部）１５２は、不揮発性メモリ１６より読み出された画質調整データＤＬ１，ＤＲ１のうち、ルックアップテーブルを映像信号処理部１２Ｌ，１２Ｒに設定させる。
【００９０】
具体的には、ルックアップテーブル設定制御部１５２は、画質調整データＤＬ１におけるルックアップテーブルLL1r，LL1g，LL1bを映像信号処理部１２Ｌに設定させる。ルックアップテーブル設定制御部１５２は、画質調整データＤＲ１におけるルックアップテーブルLR1r，LR1g，LR1bを映像信号処理部１２Ｒに設定させる。
【００９１】
ビット変換部121L，121Rはそれぞれ設定されたルックアップテーブルを用いて８ビットの画像データＤ１，Ｄ２を１６ビットに変換する。映像信号処理部１２Ｌ，１２Ｒは、１６ビットの画像データＤ１，Ｄ２を１０ビットの画像データＤ１０，Ｄ２０として出力する。
【００９２】
以上のように、制御部１５は、左領域２０Ｌに表示される第１の画像が第１の色温度及び第１のガンマ特性を有し、右領域２０Ｒに表示される第２の画像が第２の色温度及び第２のガンマ特性を有するように、第１及び第２の画像それぞれの画質を制御する。
【００９３】
映像信号処理部１２Ｌ，１２Ｒは、設定されたルックアップテーブルを用いて画像データＤ１，Ｄ２を変換することによって、左領域２０Ｌと右領域２０Ｒそれぞれに表示される画像の色温度及びガンマ特性を設定するよう画像データＤ１，Ｄ２を処理する。
【００９４】
具体的には、映像信号処理部１２Ｌは、画像データＤ１におけるＲ，Ｇ，Ｂの映像信号それぞれの入出力特性を決定するための第１の組のルックアップテーブルを用いて、第１の画像が第１の色温度及び第１のガンマ特性を有するように画像データＤ１を処理する。
【００９５】
映像信号処理部１２Ｒは、画像データＤ２におけるＲ，Ｇ，Ｂの映像信号それぞれの入出力特性を決定するための第２の組のルックアップテーブルを用いて、第２の画像が第２の色温度及び第２のガンマ特性を有するように画像データＤ２を処理する。
【００９６】
バックライト制御部153Lは、輝度センサ１４Ｌが検出するセンサ輝度値が、不揮発性メモリ１６より読み出して保持している左領域用のセンサ輝度値となるように、左領域用バックライト２１Ｌを制御する。
【００９７】
バックライト制御部153Rは、輝度センサ１４Ｒが検出するセンサ輝度値が、不揮発性メモリ１６より読み出して保持している右領域用のセンサ輝度値となるように、右領域用バックライト２１Ｒを制御する。
【００９８】
具体的には、４００ｃｄ／ｍ２が選択された場合、バックライト制御部153Lは、輝度センサ１４Ｌが検出するセンサ輝度値がセンサ輝度値１となるように、左領域用バックライト２１Ｌを制御する。また、バックライト制御部153Rは、輝度センサ１４Ｒが検出するセンサ輝度値がセンサ輝度値１’となるように、右領域用バックライト２１Ｒを制御する。
【００９９】
このように、バックライト制御部153L，153Rは、輝度センサ１４Ｌ，１４Ｒが検出するセンサ輝度値を不揮発性メモリ１６より読み出して保持しているセンサ輝度値となるように、左領域用バックライト２１Ｌと右領域用バックライト２１Ｒとのそれぞれを制御する。
【０１００】
これにより、左領域２０Ｌ及び右領域２０Ｒそれぞれの中央部における表示輝度値は、ユーザが選択した表示輝度値となるように制御されることになる。
【０１０１】
以上説明した本実施形態において、画像表示装置１００は３つの表示輝度値を選択可能としているが、１つの表示輝度値のみで画像を表示するよう構成されていてもよい。画像表示装置１００は、２つまたは４つ以上の表示輝度値を選択可能とするように構成されていてもよい。
【０１０２】
図３に示すように、画像データ発生装置２００が表示部２０における画面全体に表示される画像データＤ０を画像データ入力部１１に供給する場合には、次のようにすればよい。
【０１０３】
制御部１５は、左領域２０Ｌに表示する画像データＤ０Ｌに基づく画像と、右領域２０Ｒに表示する画像データＤ０Ｒに基づく画像それぞれを、画像データＤ１，Ｄ２に基づく画像を表示する場合と同様に制御する。
【０１０４】
以上説明した本実施形態においては、画像表示装置１００を、表示部２０を横長とした状態で使用することを前提としているため、左領域２０Ｌ及び右領域２０Ｒ、左領域用バックライト２１Ｌ及び右領域用バックライト２１Ｒのように、左右を用いた表現としている。
【０１０５】
画像表示装置１００を、表示部２０を縦長とした状態で使用することがあってもよい。この場合、左領域２０Ｌと右領域２０Ｒとのうちの一方が上領域、他方が下領域となる。
【０１０６】
表示部２０は、第１の表示領域と第２の表示領域とを有すればよい。画像表示装置１００は、第１の表示領域上の画像の明るさを検出する第１の輝度センサと、第２の表示領域上の画像の明るさを検出する第２の輝度センサとを備えればよい。
【０１０７】
画像表示装置１００は、第１の表示領域に表示される第１の画像の輝度を調整する第１の輝度調整部と、第２の表示領域に表示される第２の画像の輝度を調整する第２の輝度調整部とを備えればよい。
【０１０８】
表示部２０は、３つ以上の表示領域を有していてもよい。この場合、表示部２０は、それぞれの表示領域に対応して輝度センサを備えればよい。
【０１０９】
本発明は以上説明した本実施形態に限定されるものではなく、本発明の要旨を逸脱しない範囲において種々変更可能である。
【符号の説明】
【０１１０】
１５  制御部
１２Ｌ，  １２Ｒ  映像信号処理部
１３Ｌ，１３Ｒ  表示駆動部
１４Ｌ，１４Ｒ  輝度センサ
２０  表示部
２１Ｌ  左領域用バックライト（輝度調整部）
２１Ｒ  右領域用バックライト（輝度調整部）
１００  画像表示装置
121L，121R  ビット変換部
153L，153R  バックライト制御部（輝度調整部）
【図１】
2015225321.tif 000003
【図２】
2015225321.tif 000004
【図３】
2015225321.tif 000005
【図４】
2015225321.tif 000006
【図５】
2015225321.tif 000007
【図６】
2015225321.tif 000008
【図７】
2015225321.tif 000009